(57)【要約】【課題】右回り、左回り、段鼻芯納め、蹴込み芯納めの階段の踊場に適用できる階段の踊場用部材とする。【解決手段】幅方向に対向した一端面２、他端面３と奥行き方向に対向した一側面４、他側面５で囲まれ、一側面４の一端面２寄りの半分に突出部４ｃを有した板状体で、その表面、裏面における一側面４、他側面５の他端面３寄りに沿ってすべり止め６をそれぞれ有し、幅方向に反転したり、奥行き方向に反転したり、幅方向と奥行き方向に反転することで右回り、左回り、段鼻芯納め、蹴込み芯納めの階段の踊場に適用できる階段の踊場用部材とする。【選択図】図１
2013256752.tif 000002
【特許請求の範囲】
【請求項１】
幅方向に向かう平行な一側面と他側面と、奥行き方向に向かう平行な一端面と他端面と、平行な表面、裏面を有した矩形板状体で、
幅方向一方寄り部分の奥行き方向の寸法が幅方向他方寄り部分の奥行き方向の寸法よりも大きくなるように、前記一側面における幅方向中央を境とした幅方向一方寄りに突出部を有し、
前記幅方向他方寄り部分の表面、裏面における一側面寄りと他側面寄りとに滑り止めがそれぞれ設けてあることを特徴とする階段の踊場用部材。
【請求項２】
前記幅方向一方寄り部分の奥行き方向の寸法、幅方向他方寄り部分の奥行き方向の寸法、幅方向の寸法が、踊場の奥行き方向の寸法、左右方向の寸法よりも大きく、一端部分、他端部分、他側部分又は一側部分は、踊場の大きさに合わせるために切断して除去する部分を有した請求項１記載の階段の踊場用部材。
【請求項３】
前記滑り止めは、前記一側部、他側部における切断して除去する部分に設けてある請求項２記載の階段の踊場用部材。
【請求項４】
右回り階段で段鼻芯納めの場合には、突出部を有した一側面が階段側で、その突出部が右側とし、他側部を、他側面寄りの滑り止めよりも一側面寄りで切断すると共に、一端部、他端部を切断し、
右回り階段で、蹴込み芯納めの場合には、前記他側面が階段側で、突出部が右側とし、他側部の右側を、他側面寄りの滑り止めよりも一側面寄りで切断すると共に、一側部、一端部、他端部を切断し、
左回り階段で、段鼻芯納めの場合には、前記一側部が階段側で、突出部が左側とし、他側部を、他側面寄りの滑り止めよりも一側面寄りで切断すると共に、一端部、他端部を切断し、
左回り階段で、蹴込み芯納めの場合には、前記他側面が階段側で、突出部が左側とし、他側部の左側を切断すると共に、一側部を、一側面寄りの滑り止めよりも他側面寄りで切断し、一端部、他端部を切断するようにした請求項３記載の階段の踊場用部材。
【発明の詳細な説明】
【技術分野】
【０００１】
本発明は、階段の途中に設けられ、階段の方向を変える踊場に用いる踊場用部材に関する。
【背景技術】
【０００２】
住宅用室内木製階段としては、階段の方向を１８０°変える階段が知られている。
例えば、特許文献１に開示されたように、左側階段と右側階段の一方を９０°方向転換部を有した曲り階段とし、その左側階段と右側階段を踊場で連結して左側階段と右側階段を１８０°方向転換した階段が知られている。
この階段は、左側階段が直線で、右側階段が９０°方向転換部を有すると共に、左側階段から右側階段に向けて順次昇る右回り階段と、右側階段が直線で、左側階段が９０°方向転換部を有すると共に、右側階段から左側階段に向けて順次昇る左回り階段がある。
【０００３】
一方、左側階段、右側階段がそれぞれ直線で、踊場の左側部分と右側部分とそれぞれ連続し、踊場で１８０°方向転換する階段が知られている。
この階段の踊場に用いる踊場用部材としては、左側階段と連続する左側部分と右側階段に連続する右側部分を有した長方形状部材が用いられている。
【先行技術文献】
【特許文献】
【０００４】
【特許文献１】特許第３２９４８３６号公報
【発明の概要】
【発明が解決しようとする課題】
【０００５】
前述したように踊場を有した階段においては、踊場から階段に降りる際に滑ることがないようにするため、踊場用部材の降り側の階段と連続した部分に滑り止めを設けることが考えられる。
前述した踊場で１８０°方向転換する階段は、左側階段から踊場に昇り、踊場から右側階段に昇る階段（以下右回り階段という）と、右側階段から踊場に昇り、踊場から左側階段に昇る階段（以下左回り階段という）があるので、この階段に用いる踊場用部材としては、左側部分に滑り止めを設けた踊場用部材と、右側部分に滑り止めを設けた踊場用部材の２種類が必要である。
また、踊場用部材の取付け方法として、踊場階段側面と柱中心を合わす段鼻芯納めと蹴込み板と柱中心を合わす蹴込み芯納めの２種類があり、各取付方法に用いる２種類の踊場用部材が必要である。
このために、踊場で１８０°方向転換する階段の踊場用部材としては、右回り階段、左回り階段、段鼻芯納め、蹴込み芯納めに対応した複数種類が必要で、生産種類、保管種類が多くコスト的に不利であると共に、踊場用部材の手配時に誤りが起こり易い。
【０００６】
本発明の目的は、右回り階段、左回り階段、段鼻芯納め、蹴込み芯納めに対応できるようにした階段の踊場用部材とすることである。
【課題を解決するための手段】
【０００７】
本発明は、幅方向に向かう平行な一側面と他側面と、奥行き方向に向かう平行な一端面と他端面と、平行な表面、裏面を有した矩形板状体で、
幅方向一方寄り部分の奥行き方向の寸法が幅方向他方寄り部分の奥行き方向の寸法よりも大きくなるように、前記一側面における幅方向中央を境とした幅方向一方寄りに突出部を有し、
前記幅方向他方寄り部分の表面、裏面における一側面寄りと他側面寄りとに滑り止めがそれぞれ設けてあることを特徴とする階段の踊場用部材である。
【０００８】
本発明においては、前記幅方向一方寄り部分の奥行き方向の寸法、幅方向他方寄り部分の奥行き方向の寸法、幅方向の寸法が、踊場の奥行き方向の寸法、左右方向の寸法よりも大きく、一端部分、他端部分、他側部分又は一側部分は、踊場の大きさに合わせるために切断して除去する部分を有するようにできる。
このようにすれば、施工誤りなどで踊場の大きさにばらつきがある場合でも、その踊場の大きさに合わせて切断することで、踊場用部材を正しく取り付けできる。
【０００９】
本発明においては、前記滑り止めは、前記一側部、他側部における切断して除去する部分に設けることができる。
このようにすれば、一側面寄りに設けた滑り止めと他側面寄りに設けた滑り止めの一方がなくなるので、踊場の見栄えが良い。
【００１０】
本発明においては、右回り階段で段鼻芯納めの場合には、突出部を有した一側面が階段側で、その突出部が右側とし、他側部を、他側面寄りの滑り止めよりも一側面寄りで切断すると共に、一端部、他端部を切断し、
右回り階段で、蹴込み芯納めの場合には、前記他側面が階段側で、突出部が右側とし、他側部の右側を、他側面寄りの滑り止めよりも一側面寄りで切断すると共に、一側部、一端部、他端部を切断し、
左回り階段で、段鼻芯納めの場合には、前記一側部が階段側で、突出部が左側とし、他側部を、他側面寄りの滑り止めよりも一側面寄りで切断すると共に、一端部、他端部を切断し、
左回り階段で、蹴込み芯納めの場合には、前記他側面が階段側で、突出部が左側とし、他側部の左側を切断すると共に、一側部を、一側面寄りの滑り止めよりも他側面寄りで切断し、一端部、他端部を切断するようにできる。
このようにすれば、右回り階段、左回り階段で段鼻芯納めの場合には、切断した面を踊場の柱の内側面に接するように取り付けでき、右回り階段、左回り階段で蹴込み芯納めの場合には、一側部、一端部、他端部の切断した面を踊場の柱の内側面に接するように取り付けできる。
【発明の効果】
【００１１】
本発明の踊場用部材によれば、幅方向に反転したり、奥行き方向に反転したり、幅方向及び奥行き方向に反転することで、滑り止めが階段側の右側部分、左側部分となると共に、左側部分、右側部分の一方を階段側に突出することができるので、右回り階段、左回り回転、段鼻芯納め、蹴込み芯納めに対応することができ、生産種類、保管種類が少なく、コスト的に有利であると共に、手配時に誤りが起こりにくい。
【図面の簡単な説明】
【００１２】
【図１】踊場用部材の上面図である。
【図２】踊場用部材の下面図である。
【図３】踊場用部材の右側面図である。
【図４】踊場用部材の正面図である。
【図５】右回り、段鼻芯納めの場合の踊場の平面図である。
【図６】図５のＡ−Ａ断面図である。
【図７】図５のＢ−Ｂ断面図である。
【図８】右回り、蹴込み芯納めの踊場の平面図である。
【図９】図８のＣ−Ｃ断面図である。
【図１０】図８のＤ−Ｄ断面図である。
【図１１】左回り、段鼻芯納めの踊場平面図である。
【図１２】図１１のＥ−Ｅ断面図である。
【図１３】図１１のＦ−Ｆ断面図である。
【図１４】左回り、蹴込み芯納めの踊場平面図である。
【図１５】図１４のＧ−Ｇ断面図である。
【図１６】図１４のＨ−Ｈ断面図である。
【発明を実施するための形態】
【００１３】
本発明の踊場用部材を図１〜図４に基づいて説明する。
なお、踊場用部材を階段に取り付けて踊場とした場合に左右方向に向かう方向を幅方向とし、この幅方向と直交する方向を奥行き方向として説明する。
踊場用部材１は、幅方向一方の奥行き方向に向かう一端面２と、幅方向他方の奥行き方向に向かう他端面３と、奥行き方向の一方の幅方向に向かう一側面４と、奥行き方向の他方の幅方向に向かう他側面５で囲まれ、一端面２と他端面３が平行で、かつ一側面４と他側面５が平行である長方形で、かつ所定の厚さを有した板状で、その一側面４における幅方向中央部を境として幅方向一方寄り部分４ａが幅方向他方寄り部分４ｂよりも奥行き方向に突出した突出部４ｃを有し、踊場用部材１の奥行き方向の寸法は、幅方向中央部を境として幅方向一方寄り部分１ａの奥行き方向の寸法Ｈ１が、幅方向他方寄り部分１ｂの奥行き方向の寸法Ｈ２よりも長い。
この寸法の差（Ｈ１−Ｈ２）、つまり突出部４ｃの突出寸法は、後述するように段鼻寸法である。
【００１４】
前述した奥行き方向の寸法Ｈ２が短い幅方向他方寄り部分１ｂの厚さ方向一方の面、つまり図１に示す表面における一側面４寄り部分と他側面５寄り部分に滑り止め６が幅方向に向けてそれぞれ設けてあると共に、厚さ方向他方の面、つまり図２に示す裏面における一側面４寄り部分と他側面５寄り部分に滑り止め６が幅方向に向けてそれぞれ設けてある。例えば、複数の溝を一側面４、他側面５と平行に奥行き方向に間隔を置いて幅方向に連続して形成してある。
【００１５】
前述の一側面４、他側面５、表面、裏面は表面処理されて見栄えが良いと共に、耐水性を向上している。この表面と裏面は平行である。
前述の奥行き方向の寸法Ｈ１，Ｈ２及び幅方向の寸法Ｌは、階段の踊場の実際の寸法、奥行き寸法よりも大きくしてある。
【００１６】
次に、踊場用部材１の取付け方法を説明する。
右回り階段で段鼻芯納めの場合。
図５、図６、図７に示すように、踊場３０の左側部分に直線の左側階段１０が連続し、踊場３０の右側部分に直線の右側階段２０が連続すると共に、左側階段１０から踊場３０に昇り、１８０°方向転換して踊場３０から右側階段２０を昇る右回り階段としてある。
そして、踊場３０の左側階段側面３０ａを柱３１の中心３１ａに合わせると共に、右側階段側面３０ｂを柱３１の中心３１ａよりも階段側に突出して右側階段２０の最下部の踏み板２１の踊場に向かう面、つまり前面２１ａを柱３１の中心３１ａに合わせることで、段鼻芯納めとしてある。
【００１７】
前述の踊場として用いる踊場用部材１としては次のことが必要である。
第１は、左側部分の階段側面が柱３１の中心３１ａに合致して踊場３０の左側階段側面３０ａを柱３１の中心３１ａを合わすことができること。
第２は、右側部分の階段側面が柱３１の中心３１ａよりも階段側に突出し、右側階段２０の最も下の蹴込み板２２を柱３１の中心３１ａと合致して取り付けできること。
そこで、前述した踊場用部材１を、表面が上向きで、一側面４が階段側に向かい、奥行き方向の寸法Ｈ１が大きい幅方向一方寄り部分１ａが右側（一端面２が右側）で、奥行き方向の寸法Ｈ２が小さい幅方向他方寄り部分１ｂが左側（他端面３が左側）で突出部４ｃが右側となる状態（図１に示す状態）とし、その踊場用部材１の一側面４の幅方向他方寄り部分４ｂを左側とし、かつ柱３１の中心３１ａと合致すると共に、一側面４の幅方向一方寄り部分４ａ（突出部４ｃ）を右側とし、かつ柱３１の中心３１ａよりも階段側に突出するように取り付ける。
【００１８】
この場合、前述のように踊場用部材１は仮想線で示すように、踊場３０（つまり、柱３１で囲まれた部分）よりも大きい。
つまり、踊場３０の左右寸法ｌよりも踊場用部材１の幅方向の寸法Ｌが大きく、踊場３０の右側部分の奥行き方向の寸法ｈ１よりも踊場用部材１の幅方向一方寄り部分の１ａの奥行き方向の寸法Ｈ１が大きく、踊場３０の左側部分の奥行き方向の寸法ｈ２よりも踊場用部材１の幅方向他方寄り部分１ｂの奥行き方向の寸法Ｈ２が大きい。
【００１９】
このために、踊場用部材１の一端面寄りの一端部、他端面寄りの他端部及び他側面寄りの他側部を踊場３０の大きさに合わせて切断して除去し、切断した一端面２、他端面３、他側面５が柱３１の内側面３１ｂに接するようにして取り付ける。
このように踊場用部材１の他側部を切断することで、他側面寄りに設けた滑り止め６が除去される。
【００２０】
前述のように、踊場用部材１を踊場３０の大きさよりも大きくし、取り付けるときに切断して踊場３０の大きさとするので、踊場３０の大きさが柱の施工誤差などで若干異なる場合でも、その踊場３０の大きさに合わせることができる。
【００２１】
そして、図６に示すように左側階段１０の最も上の踏板１１を前述の部分４ｂよりも踊場側に突出し、その踏板１１の前面１１ａと踊場用部材１の下面とに渡って蹴込み板１２を取り付けできる。
また、図７に示すように、一側面４の幅方向一方寄り部分４ａ（突出部４ｃ）が踊場３０の右側において柱３１の中心３１ａよりも階段側に突出しているから、その部分４ａと踏板２１とに渡って蹴込み板２２を取り付けできる。
つまり、突出部４ｃがなければ、前述のようにして蹴込み板２２を取り付けできない。
前述の踏板２１の前面２１ａから蹴込み板２２までの距離、つまり、段鼻寸法は、前述の突出部４ｃの寸法で決定される。
【００２２】
また、踊場３０から左側階段１０に降りることになるが、その左側階段１０と連結した左側部分には滑り止め６があるので、踊場３０から左側階段１０に降りる際に滑ることがない。
なお、図５においては滑り止め６の図示を省略して左側階段１０の蹴込み板１２の取り付けを理解し易くしてある。
【００２３】
右回りの階段で蹴込み芯納めの場合。
図８、図９、図１０に示すように、左右側階段１０，２０が前述と同様に設けられ、左側階段１０から踊場３０に昇り、１８０°方向転換して踊場３０から右側階段２０に昇るようにして右回りの階段としてある。
そして、左側階段１０の最上部の蹴込み板１２、右側階段２０の最下部の蹴込み板２２と柱３１の中心３１ａを合わせて蹴込み芯納めとしてある。つまり、踊場３０の左側階段側面３０ａが柱３１の中心３１ａよりも階段側に突出し、右側階段側面３０ｂが柱３１の中心３１ａと合致している。
【００２４】
この踊場に用いる踊場用部材１としては、右側部分の階段側面が柱３１の中心３１ａと合致し、左側部分の階段側面が柱３１の中心３１ａよりも階段側に突出することが必要である。
そこで、踊場用部材１を裏面が上で、他側面５が階段側で、一端面２が右側で、他端面３が左側で突出部４ｃが右側となる状態、つまり、図１に示す状態から奥行き方向に反転した状態として取り付ける。
【００２５】
この場合も前述と同様に踊場用部材１の一端部分、他端部分、一側部分をそれぞれ切断して除去して切断した一端面２、他端面３、一側面４を柱３１の内側面３１ｂに接するが、これと同時に他側面５寄りの他側部分における右半分を切断して除去することで、切断した右側端面５ａが柱３１の中心３１ａと合致するようにする。
【００２６】
これにより、踊場用部材１の他側面５の切断しなかった左側面５ｂが柱３１の中心３１ａよりも階段側に突出し、切断した右側端面５ａが柱３１の中心３１ａと合致する。
したがって、図９に示すように、左側階段１０の最上部の蹴込み板１２を踏板１１の前面１１ａと踊場用部材１の下面とに渡って取り付けることで、その蹴込み板１２と柱３１の中心３１ａを合わせることができる。
【００２７】
また、図１０に示すように、右側階段２０の最下部の蹴込み板２２を踊場用部材１の右側部分の階段側面となる切断した右側端面５ａと踏板２１の下面とに渡って取り付けることで、その蹴込み板２２と柱３１の中心３１ａを合わせることができる。
また、踊場３０の左側部分から左側階段１０に降りることになるが、踊場用部材１の他側面５の左側部分（幅方向他方寄り部分１ｂ）には滑り止め６があるので、滑ることを防止できる。
【００２８】
左回りの階段で段鼻芯納めの場合。
図１１、図１２、図１３に示すように、左右側階段１０，２０は前述と同様に設けられ、右側階段２０から踊場３０に昇り、１８０°方向転換して踊場３０から左側階段１０を昇るようにして左回り階段としてある。
そして、踊場３０の右側階段側面３０ｂが柱３１の中心３１ａと合致し、左側階段側面３０ａが柱３１の中心３１ａよりも階段側に突出して左側階段１０の最上部の踏板１１の前面１１ａが柱３１の中心３１ａと合致して段鼻芯納めとしてある。
【００２９】
この場合には、図１１に示すように踊場用部材１を、裏面が上で、一側面４が階段側で、幅方向一方寄り部１ａ（突出部４ｃ）が左側（一端面２が左側）で、幅方向他方寄り部分１ｂが右側（他端面３が右側）となる状態（図２の状態）として、一側面４の幅方向他方寄り部分４ｂが柱３１の中心３１ａと合致して前述の右側階段側面３０ｂとなり、一側面４の幅方向一方寄り部分４ａが柱３１の中心３１ａよりも階段側に突出して左側階段側面３０ａとなるように柱３１の内側面３１ｂ間に取り付ける。
このときも前述と同様に、踊場用部材１の一端部分、他端部分、他側部分をそれぞれ切断して除去し、切断した一端面２、他端面３、他側面５が柱３１の内側面３１ｂに接するようにする。
【００３０】
このようにすることで、図１２に示すように、右側階段２０の最も上の踏板２１の前面２１ａが踊場用部材１の一側面４の幅方向他側部分４ｂよりも踊場側に突出し、その踏板２１の前面２１ａと踊場用部材１の幅方向他方寄り部分１ｂの下面とに渡って蹴込み板２２を取り付けできる。
【００３１】
また、図１３に示すように、踊場用部材１の一側面４の幅方向一方寄り部分４ａ（突出部４ｃ）が、踊場３０の左側において柱３１の中心３１ａよりも階段側に突出しているので、その部分４ａと踏板１１の下面とに渡って蹴込み板１２を取り付けできる。
【００３２】
また、踊場３０から右側階段２０に降りることになるが、踊場用部材１の幅方向他方寄り部分１ｂが踊場３０の右側で、踊場３０の右側には滑り止め６があるから、右側階段２０に降りる際に滑ることを防止できる。
【００３３】
左回り階段で蹴込み芯納めの場合。
図１４、図１５、図１６に示すように、左右側階段１０，２０は前述と同様に設けられ、右側階段２０から踊場３０に昇り、１８０°方向転換して踊場３０から左側階段１０を得るようにして左回り階段としてある。
そして、左側階段１０の最下部の蹴込み板１２、右側階段２０の最上部の蹴込み板１２を柱３１の中心３１ａに合わせることで、蹴込み芯納めとしてある。
【００３４】
この踊場に用いる踊場用部材１としては、踊場３０の左側階段側面３０ａが柱３１の中心３１ａと合致し、右側階段側面３０ｂが柱３１の中心３１ａよりも階段側に突出するようにする必要があるので、踊場用部材１を、他側面５が階段側で、一端面２が左側で、他端面３が右側で突出部４ｃが左側となる状態、つまり、図２に示す状態から奥行き方向に反転した状態とすると共に、他側面５寄りの他側部分における左半分を切断して除去することで、切断した左側端面５ｃが柱３１の中心３１ａと合致し、切断しなかった右側端面５ｄが柱３１の中心３１ａよりも階段側に突出するように取り付ける。
この場合も前述と同様に踊場用部材１の一端部分、他端部分、一側部分をそれぞれ切断して除去して柱３１の内側面３１ｂに接するようにする。
【００３５】
このようにすることで、図１５に示すように右側階段２０の最上部の踏板２１の前面２１ａと踊場用部材１の下面とに渡って蹴込み板１２を取り付け、その蹴込み板１２を柱３１の中心３１ａと合わせることができる。
また、図１６に示すように、左側階段１０の最下部の蹴込み板１２を踊場用部材１の他側面５における切断した左側端面５ｃと踏板１１の下面とに渡って取り付けできる。
【００３６】
また、踊場３０の右側から右側階段２０に降りることになるが、その踊場３０の右側には滑り止め６があるので、右側階段２０に降りるときに滑ることがない。
【符号の説明】
【００３７】
１…踊場用部材、２…一端面、３…他端面、４…一側面、４ｃ…突出部、５…他側部、６…滑り止め、１０…左側階段、１１…踏板、１２…蹴込み板、２０…右側階段、２１…踏板、２２…蹴込み板、３０…踊場、３１…柱、３１ａ…中心、３１ｂ…内側面。
【図１】
2013256752.tif 000003
【図２】
2013256752.tif 000004
【図３】
2013256752.tif 000005
【図４】
2013256752.tif 000006
【図５】
2013256752.tif 000007
【図６】
2013256752.tif 000008
【図７】
2013256752.tif 000009
【図８】
2013256752.tif 000010
【図９】
2013256752.tif 000011
【図１０】
2013256752.tif 000012
【図１１】
2013256752.tif 000013
【図１２】
2013256752.tif 000014
【図１３】
2013256752.tif 000015
【図１４】
2013256752.tif 000016
【図１５】
2013256752.tif 000017
【図１６】
2013256752.tif 000018